(57)【要約】      （修正有）【課題】組立式ペット籠を提供する。【解決手段】ペット籠を組み立てる場合、二つの側面板２の下方向端に延伸した突出エッジ２２及びネジ部２３を、底台１の対応方向の溝１１及びホール２４間に貫通する。二つの側面板の前後端の周囲エッジに形成した間隔を空けた突出部８１間には後方板３、前方板４の内側方向に形成した支持部３１を上から下方向に嵌入し、後方板、前方板の下端に延伸させた突出エッジ３２及びネジ部３３を底台に対応する方向の溝及びホールに嵌入し、複数の蝶ナット６１によって前述の底台に設置した各構成要素に方向制限を与え、上部板５を側面板２、後方板３、前方板４の上端周囲エッジを被覆して方向制限を加える。以上により、簡便な挿入結合で安定した組み立てを行って一体化し、構成体に組み合わせを付け加える場合も簡単に方向制御をすることが可能なペット籠である。【選択図】図１
0003151500.tif 000002
【実用新案登録請求の範囲】
【請求項１】
底台と、
底台上に分離して固定される二枚の側面板と、
底台上に分離して固定される後方板と、
底台上に分離して固定される前方板と、
二つの側面板、後方板、及び前方板に分離して固定され、一本以上のスリットを備える上部板と、
底台上に装着し、一本以上のスリットを備える底板と、
上部板及び底板に設置するスリット内に配置しスライド移動する一つ以上の非中空仕切板と中空仕切板
とを備える組立式ペット籠。
【請求項２】
前記底台は、その周辺面には複数の間隔を空けた溝及びホールを貫通し、
前記側面板は、その前方及び後方端の周囲エッジに間隔を空けた突出部を一つ以上形成し、側面板の下方向端には一つ以上の突出エッジ及びネジ部を延伸し、底台対応方向の溝及びホール間に嵌入し、底台のホール一端に突出したネジ部は蝶ナットと回転螺着し、また、二つの側面板の上端にはホールを有する一つ以上の内設穴を凹設し、
前記後方板は、その両側にある内側方向の周囲エッジに間隔を空けた一つ以上の支持部を形成し、上から下方向に、側面板の後端に近い周囲エッジに形成した間隔を空けた突出部を嵌入し、前記後方板の下方向端には一つ以上の突出エッジ及びネジ部を延伸して、底台の対応方角の溝とホール間に嵌入し、突出した底台のホール一端のネジ部には蝶ナットを回転させて螺着し、後方板上端にはホールを備える一つ以上の内設穴を凹設し、
前記前方板の両側の内側方向の周辺エッジには間隔を空けた一つ以上の支持部を形成し、上から下方向に、二つの側面板の前端周囲エッジ近くに形成した間隔を空けた突出部を嵌入し、前方板の下端には一つ以上の突出エッジ及びネジ部を延伸して、底台の対応する方向の溝及びホール間に嵌入し、底台のホール一端を突出するネジ部に蝶ナットを回転させて螺着し、また、前方板の上端には一つ以上のホールを備える内設穴を凹設し、
前記上部板は、その周囲エッジには中にホールを備えた内設穴を凹設し、側面板及び後方板、前方板の上端に備えたホール方角に対応させ、複数の螺着部品を嵌入させて下端の蝶ナットと螺着させることを特徴とする請求項１記載の組立式ペット籠。
【考案の詳細な説明】
【技術分野】
【０００１】
本考案は組立式ペット籠を提供するものであり、それは、動物を飼う為の籠の組み立てでは、挿入結合し、工具を必要とせずに回転固定できる螺着部品を、それぞれが引っ張り合い制御し合う構成要素を組み合わせて一体化し、構成要素の組み立てもしくは関連構成要素の係合に簡便性を有する組立式ペット籠に係る。
【背景技術】
【０００２】
本業界において、動物を飼う為の籠の組立形態及び組立方式は非常に多く設計されており、その内の一種に、四周囲の側面板を底板の対応方角の凹溝に嵌入して一緒に間隔を空けた突出エッジの制限を受けさせ、上部板の下方向周囲にある凹溝を対応する四周囲の側面板の上端に嵌入させて間隔を開けた幾つかの突出エッジによって方角を制限し、関連構成要素（例えば内部踏板、入口板、水入れ、飼料入れ）をその間に入れ、籠体を構成するものがある。しかし、前記の籠体に対し、のちに構成要素の追加が必要となった場合、臨時組み合わせ箇所がないことに制限されて、籠体は他に組み合わせ追加の実施不可能な単一形態となる。
【考案の概要】
【考案が解決しようとする課題】
【０００３】
本考案は、現在動物を飼育する為に使用されているペット籠の実施が単一形態であることに鑑み、別の設計を考案し、籠構造が挿入結合で、工具を必要とせずに回転螺着できる螺着部品を使い相互の引っ張り合いと制御による構成要素に安定した組み立てを提供して一体化し、同時に、組み立て完成したペット籠への構成要素の組み合わせを簡単に実施し、方向制御を完成させる。
【課題を解決するための手段】
【０００４】
本考案の主な目的は、ペット籠を組み立てる場合、二つの側面板の下方向端に延伸した突出エッジ及びネジ部を、底台の対応方向の溝及びホール間に貫通し、二つの側面板の前後端の周囲エッジに形成した間隔を空けた突出部には後方板、前方板の内側方向に形成した支持部を上から下方向に嵌入し、後方板、前方板の下端に延伸させた突出エッジ及びネジ部を底台に対応する方向の溝及びホールに嵌入し、複数の蝶ナットによって前述の底台に設置した各構成要素の突出したネジ部に方向制限を与え、上部板を側面板、後方板、前方板の上端周囲エッジを被覆して方向制限を加え、以上により、簡便な挿入結合で安定した組み立てを完成させて一体化し、構成体に組み合わせを付け加える場合も簡単に方向制御をすることが可能なペット籠を提供することにある。
【０００５】
本考案のもう一つの目的は、組み立ての完成したペット籠において、底台内側周囲縁の環状フレームには、作用面に一本以上のスリットを凹設した底板を入れ、上部板の下層面方向の対応方向に前記スリットに符合するスリットを凹設し、一つ以上の非中空仕切板及び中空仕切板をその間に入れてスライド移動させるペット籠を提供することにある。
【考案の効果】
【０００６】
本考案のペット籠９を実施する場合には、次のような効果を有する。
（１）ペット籠全体の構成要素を組立てて実施すると、相互に引っ張り合い制御する故、組立完成後の構造体は安定した嵌合効果を有する。
（２）組み立てたペット籠を一層もしくは一層以上の構成体に組み合わせて実施する場合、組み合わせる構成体の構成要素を密着させて螺着部品を貫通させることにより、適切な引っ張り合いと制御が達成される。
（３）組み立てたペット籠の構成体の内部には需要に応じてその間の仕切板をスライドさせて一つ以上の空間に区切るか二空間の開放空間にすることが可能である。
【図面の簡単な説明】
【０００７】
【図１】本考案のペット籠に関する構成要素分解図である。
【図２】本考案のペット籠に関する外観図である。
【図３】本考案のペット籠に関する踏板を外側に突出させた実施例図である。
【図４】本考案のペット籠に関する数枚の仕切板の設置図である。
【図５】本考案のペット籠に関する可動の仕切板を移動させている実施例１である。
【図６】本考案のペット籠に関する可動の仕切板を移動させている実施例２である。
【図７】本考案のペット籠を一層以上設置した実施例図である。
【図８】本考案のペット籠のもう一つの形態外観図である。
【考案を実施するための形態】
【０００８】
本考案設計の組立式ペット籠は、図１に示す通り、底台１、二枚の側面板２、後方板３、前方板４、前方板４間の二組の入口板４８、上部板５、複数の螺着部品６、蝶ナット６１、底板７、一つ以上の非中空仕切板８、中空仕切板８’、水入れ１５、複数のキャスター１６によりペット籠９を構成する。
【０００９】
前記底台１は、内側が凹んだ部材であり、その周辺面には複数の間隔を空けた溝１１及びホール１２を貫通し、底台１の内側周囲縁には環状フレームを凹設し、また、底台１の前方端の下方に開口１４を設ける。
【００１０】
前記側面板２は、その前方及び後方端の周囲エッジに間隔を空けた突出部２１を一つ以上形成し、側面板２の下方向端には一つ以上の突出エッジ２２及びネジ部２３を延伸し、側面板２の上端にはホール２４を備える一つ以上の内設穴２５を凹設する。
【００１１】
前記後方板３の両側にある内側方向の周囲エッジには間隔を空けた支持部３１を一つ以上形成し、後方板３の下方向端には一つ以上の突出エッジ３２及びネジ部３３を延伸する。また、後方板の上端にはホール３４を備える内設穴３５を一つ以上凹設する。
【００１２】
前記前方板４の間には、二つに区分した空間４１を備え、各空間４１の上端及び下端には一つ以上の穴４２と内側に近い制御板４３を形成し、前方板４の両側の内側方向の周囲エッジには間隔を空けて一つ以上の支持部を形成し（その形態は後方板３の支持部３１と同様）、前方板４下端方向には一つ以上の突出エッジ４４及びネジ部４５を延伸させる。また、前方板４の上端には間にホール４６を備える一つ以上の内設穴４７を凹設する。
【００１３】
前記前方板４間に設けた二組の入口板４８は、前方板４に基づいて開けた二区分の空間４１に基づいて決定したそれに符合する板体であり、入口板４８中の両脇に弾性があり上下に伸縮する嵌合ロッド部４８１を貫通させ、それにより前方板４を区切った二つの空間４１に組み入れる（図２参照）。入口板４８の面には空間４８２を形成して符合する踏板４９をその間に枢着し外側に突出させるか（図３参照、前記踏板４９は両側の突出部によって入口板４８空間の対応方向に組み合わせ入れる）、或いは内側に閉じる状態とする（図２参照。入口板４８上端は軸を中心として下方に可動可能な制限部４８３の力を受けて密着する。
【００１４】
前記上部板５は、二つの側面板２及び後方板３、前方板４の周囲エッジに基づき決定された被覆板体であり、上部板５の下層面方向には一本以上のスリット５１を凹設し、上部板５周囲エッジには中にホール５２を備えた内設穴５３を凹設し、側面板２及び後方板３、前方板４の上端に備えたホール２４、３４、４６の方角に対応させる。
【００１５】
前記底板７は、底台１の内側周囲エッジに近い環状フレーム１３に基づき決定するネット状に穴のある板体であり、底板７の使用面には一本以上のスリット７１を凹設する（本スリットは上部板５間に形成したスリット５１の方向に対応させる）。
【００１６】
前記一本以上の非中空仕切板８は、側面板２の高さに基づいて決定される予め幅を設定した仕切板であり、非中空仕切板８の上下端には突出部８１を形成して上部板５及び底板７間のスリット５１、スリット７１間に入れてスライド可能にする。
【００１７】
前記中空仕切板８’もまた、側面板２の高さに基づいて決定される予め幅を設定した仕切板であり、それは中空のフレーム体を備える仕切板とし、中空仕切板８’の上下端にもまた突出部８１を形成して上部板５及び底板７間のスリット５１、スリット７１間に入れてスライド可能にする。
【００１８】
前記水入れ１５は底台１の下方向に近い開口１４に入れるトレー体である。
【００１９】
前記複数のキャスター１６は、底台１の四隅に装着する車輪部品である。
【００２０】
前述構成要素を組立てて実施する場合は、図１及び図２に示す通りであり、側面板２の下端に延伸した突出エッジ２２とネジ部２３を底台１の対応する方角の溝１１とホール１２間に嵌入させる。側面板２の前後端の周囲に間隔を空けて形成した突出部２１間に、後方板３及び前方板４の内側方向に形成した支持部３１を上から下に嵌入させ、後方板３と前方板４の下端に延伸した突出エッジ３２、突出エッジ４４及びネジ部３３、ネジ部４５を底台１の対応する方向の溝１１及びホール１２間に嵌入する。複数の蝶ナット６１によって前述の底台１に設置した各構成要素の突出するネジ部３３、ネジ部４５を対応する方向に螺着する。上部板５は側面板２、後方板３、前方板４の上端周囲エッジを被覆し、複数の螺着部品６を対応する構成要素の孔に貫通して下端の蝶ナット６１で対応する方向に回転螺着する。
【００２１】
また、底台１内側周囲縁の環状フレーム１３には、底板７を配置し（図４参照）、一つ以上の非中空仕切板８及び中空仕切板８’を上部板５と底板７間に対応する一本以上のスリット５１、スリット７１間に入れると、非中空仕切板８及び中空仕切板８’は必要に応じてスライド可能となる（図５、図６）。このように簡便な挿入結合によりペット籠を組成する。
【００２２】
本考案の構成するペット籠９に別の一層の構成体を組み合わせて実施する場合は図７に示す通りとなり、上下層の構成体の隣接する構成要素を密着させて螺着部品６及び蝶ナット６１を回転螺着すると、組立てたい一層、もしくは一層以上の構成体の方向制御を達成する。
【００２３】
本考案の前方板４間の入口板４８は図２に示すような四角形孔形態もしくは図８に示すような六角形孔形態を採用可能である。
【符号の説明】
【００２４】
１  底台
１１  溝
１２  ホール
１３  環状フレーム
１４  開口
１５  水入れ
１６  キャスター
２  側面板
２１  突出部
２２  突出エッジ
２３  ネジ部
２４  ホール
２５  内設穴
３  後方板
３１  支持部
３２  突出エッジ
３３  ネジ部
３４  ホール
３５  内設穴
４  前方板
４１  空間
４２  穴
４３  制御板
４４  突出エッジ
４５  ネジ部
４６  ホール
４７  内設穴
４８  入口板
４８'  入口板
４８１  嵌合ロッド部
４８２  空間
４８３  制限部
４９  踏板
５  上部板
５１  スリット
５２  ホール
５３  内設穴
６  螺着部品
６１  蝶ナット
７  底板
７１  スリット
８  非中空仕切板
８'  中空仕切板
８１  突出部
９  ペット籠
【図１】
0003151500.tif 000003
【図２】
0003151500.tif 000004
【図３】
0003151500.tif 000005
【図４】
0003151500.tif 000006
【図５】
0003151500.tif 000007
【図６】
0003151500.tif 000008
【図７】
0003151500.tif 000009
【図８】
0003151500.tif 000010